【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
水溶性ビルダーブロックおよびセルロースのアルキル化およびヒドロキシアルキル化によって得られる汚れ解離性セルロース誘導体を含んでなり、該水溶性ビルダーブロックは、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１０重量％までの、１．８〜２．５の範囲のモジュールを有するアルカリ金属シリケートと、
ｃ）２重量％までの、ホスホン酸および／またはアルカリ金属ホスホネートと、
ｄ）５０重量％までの、アルカリ金属ホスフェートと、
ｅ）１０重量％までのポリカルボキシレート重合体、
から構成され、成分ｂ）、ｃ）、ｄ）およびｅ）の少なくとも二種を０重量％より多い量で含む、ビルダー含有洗濯または洗浄剤。
【請求項２】
セルロース誘導体は、Ｃ１〜Ｃ１０基、特にＣ１〜Ｃ３基でアルキル化されており、さらにＣ２〜Ｃ１０ヒドロキシアルキル基、特にＣ２〜Ｃ３ヒドロキシアルキル基を有することを特徴とする請求項１に記載の剤。
【請求項３】
セルロース誘導体は、平均して、無水グリコースモノマー単位あたり０．５〜２．５個、特に１〜２個のアルキル基と、０．０２〜０．５個、特に０．０５〜０．３個のヒドロキシアルキル基を含有することを特徴とする請求項１または２に記載の剤。
【請求項４】
セルロース誘導体の平均モル質量は、１００００Ｄ〜１５００００Ｄの範囲にあることを特徴とする請求項１〜３のいずれかに記載の剤。
【請求項５】
セルロース誘導体の平均モル質量は、４００００Ｄ〜１２００００Ｄ、特に８００００Ｄ〜１１００００Ｄの範囲にあることを特徴とする請求項１〜４のいずれかに記載の剤。
【請求項６】
０．１重量％〜５重量％、特に０．５重量％〜２．５重量％の汚れ解離性セルロース誘導体を含有することを特徴とする請求項１〜５のいずれかに記載の剤。
【請求項７】
ビルダーブロックの割合は、少なくとも１５重量％であることを特徴とする請求項１〜６のいずれかに記載の剤。
【請求項８】
ビルダーブロックの割合は、５５重量％まで、特に２５重量％〜５０重量％であることを特徴とする請求項１〜７のいずれかに記載の剤。
【請求項９】
１５重量％〜２５重量％のアルカリ金属炭酸塩（アルカリ金属炭酸水素塩によって少なくとも部分的に置換されてよい）、および５重量％まで、特に０．５重量％〜２．５重量％のクエン酸および／またはアルカリ金属クエン酸塩が、成分a)として存在することを特徴とする請求項１〜８のいずれかに記載の剤。
【請求項１０】
５重量％〜２５重量％、特に５重量％〜１５重量％のクエン酸および／またはアルカリ金属クエン酸塩と、５重量％まで、特に１重量％〜５重量％のアルカリ金属炭酸塩（アルカリ金属炭酸水素塩によって少なくとも部分的に置換されてよい）が、成分ａ）として存在することを特徴とする請求項１〜８のいずれかに記載の剤。
【請求項１１】
成分ａ）は、アルカリ金属炭酸塩とアルカリ金属炭酸水素塩を、１０：１〜１：１の重量比で含むことを特徴とする請求項１〜１０のいずれかに記載の剤。
【請求項１２】
１重量％〜５重量％の、１．８〜２．５の範囲のモジュールを有するアルカリ金属シリケートが、成分ｂ）として存在することを特徴とする請求項１〜１１のいずれかに記載の剤。
【請求項１３】
０．０５重量％〜１重量％の、ホスホン酸および／またはアルカリ金属ホスホネート、特にそれらのヒドロキシおよび／またはアミノアルキルホスホン酸および／またはアルカリ金属塩から選択されるものが、成分ｃ）として存在することを特徴とする請求項１〜１２のいずれかに記載の剤。
【請求項１４】
１５重量％〜３５重量％の、アルカリ金属ホスフェート、特に三ナトリウムポリリン酸塩が、成分ｄ）として存在することを特徴とする請求項１〜１３のいずれかに記載の剤。
【請求項１５】
１．５重量％〜５重量％のポリカルボキシレート重合体、特にアクリル酸、メタクリル酸および／またはマレイン酸の重合生成物または共重合生成物から選択されるものが、成分e)として存在することを特徴とする請求項１〜１４のいずれかに記載の剤。
【請求項１６】
特に綿から構成されるかまたは綿を含む、繊維製品の洗浄において、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１０重量％までの、１．８〜２．５の範囲のモジュールを有するアルカリ金属シリケートと、
ｃ）２重量％までの、ホスホン酸および／またはアルカリ金属ホスホネートと、
ｄ）５０重量％までの、アルカリ金属ホスフェートと、
ｅ）１０重量％までのポリカルボキシレート重合体、
から構成され、成分ｂ）、ｃ）、ｄ）およびｅ）の少なくとも二種を０重量％より多い量で含む水溶性ビルダーブロックを含む洗濯洗剤の洗浄性能を向上させるための、セルロースのアルキル化およびヒドロキシアルキル化によって得られる汚れ解離性セルロース誘導体の使用。
【請求項１７】
繊維製品の洗浄方法であって、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１０重量％までの、１．８〜２．５の範囲のモジュールを有するアルカリ金属シリケートと、
ｃ）２重量％までの、ホスホン酸および／またはアルカリ金属ホスホネートと、
ｄ）５０重量％までの、アルカリ金属ホスフェートと、
ｅ）１０重量％までのポリカルボキシレート重合体、
から構成され、成分ｂ）、ｃ）、ｄ）およびｅ）の少なくとも二種を０重量％より多い量で含む水溶性ビルダーブロックと、セルロースのアルキル化およびヒドロキシアルキル化によって得られる汚れ解離性セルロース誘導体を有する洗濯洗剤を使用する、方法。
【請求項１８】
汚れ解離性セルロース誘導体を含んでなる粒子を、固体状で存在する追加の洗濯洗剤成分と混合することを特徴とする請求項１〜１５のいずれかに記載の固形剤の製造方法。
【請求項１９】
汚れ解離性セルロース誘導体を含んでなる粒子を、噴霧乾燥工程を用いることによって調製することを特徴とする請求項１８に記載の方法。
【請求項２０】
汚れ解離性セルロース誘導体を含んでなる粒子を、圧縮成形工程を用いることによって調製することを特徴とする請求項１８に記載の方法。
【手続補正２】
【補正対象書類名】明細書
【補正対象項目名】００１８
【補正方法】変更
【補正の内容】
【００１８】
本発明の組成物は、好ましくは、少なくとも１５重量％で５５重量％まで、特に２５重量％〜５０重量％の水溶性ビルダーブロックを含有する。水溶性ビルダーブロックは、好ましくは、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１０重量％までの、１．８〜２．５の範囲のモジュールを有するアルカリ金属シリケートと、
ｃ）２重量％までの、ホスホン酸および／またはアルカリ金属ホスホネートと、
ｄ）５０重量％までの、アルカリ金属ホスフェートと、
ｅ）１０重量％までのポリカルボキシレート重合体、
から構成され、定量的データは全洗濯洗剤または洗浄剤組成物に基づく。このことは、特に明記しない限り、全ての下記定量的データにも当てはまる。
【手続補正３】
【補正対象書類名】明細書
【補正対象項目名】００６２
【補正方法】変更
【補正の内容】
【００６２】
本発明に従って使用されるべきセルロース誘導体を含んでなる洗濯洗剤を用いると、セルロース誘導体を欠く組成物を使用した場合より、際立って優れた洗浄性能が得られることがわかる。
本発明の好ましい態様は以下を包含する。
〔１〕  水溶性ビルダーブロックおよびセルロースのアルキル化およびヒドロキシアルキル化によって得られる汚れ解離性セルロース誘導体を含んでなる、ビルダー含有洗濯または洗浄剤。
〔２〕  セルロース誘導体は、Ｃ１〜Ｃ１０基、特にＣ１〜Ｃ３基でアルキル化されており、さらにＣ２〜Ｃ１０ヒドロキシアルキル基、特にＣ２〜Ｃ３ヒドロキシアルキル基を有することを特徴とする上記〔１〕に記載の剤。
〔３〕セルロース誘導体は、平均して、無水グリコースモノマー単位あたり０．５〜２．５個、特に１〜２個のアルキル基と、０．０２〜０．５個、特に０．０５〜０．３個のヒドロキシアルキル基を含有することを特徴とする上記〔１〕または〔２〕に記載の剤。
〔４〕  セルロース誘導体の平均モル質量は、１００００Ｄ〜１５００００Ｄの範囲にあることを特徴とする上記〔１〕〜〔３〕のいずれかに記載の剤。
〔５〕  セルロース誘導体の平均モル質量は、４００００Ｄ〜１２００００Ｄ、特に８００００Ｄ〜１１００００Ｄの範囲にあることを特徴とする上記〔１〕〜〔４〕のいずれかに記載の剤。
〔６〕  ０．１重量％〜５重量％、特に０．５重量％〜２．５重量％の汚れ解離性セルロース誘導体を含有することを特徴とする上記〔１〕〜〔５〕のいずれかに記載の剤。
〔７〕  ビルダーブロックの割合は、少なくとも１５重量％であることを特徴とする上記〔１〕〜〔６〕のいずれかに記載の剤。
〔８〕  ビルダーブロックの割合は、５５重量％まで、特に２５重量％〜５０重量％であることを特徴とする上記〔１〕〜〔７〕のいずれかに記載の剤。
〔９〕  水溶性ビルダーブロックは、下記成分：
ａ）５重量％〜３５重量％の、クエン酸、アルカリ金属クエン酸塩および／またはアルカリ金属炭酸塩（アルカリ金属炭酸水素塩によって少なくとも部分的に置換されてよい）と、
ｂ）１０重量％までの、１．８〜２．５の範囲のモジュールを有するアルカリ金属シリケートと、
ｃ）２重量％までの、ホスホン酸および／またはアルカリ金属ホスホネートと、
ｄ）５０重量％までの、アルカリ金属ホスフェートと、
ｅ）１０重量％までのポリカルボキシレート重合体、
から構成されることを特徴とする上記〔１〕〜〔８〕のいずれかに記載の剤。
〔１０〕  ビルダーブロックは、成分ｂ）、ｃ）、ｄ）およびｅ）の少なくとも二種を０重量％より多い量で含むことを特徴とする上記〔１〕〜〔９〕のいずれかに記載の剤。
〔１１〕  １５重量％〜２５重量％のアルカリ金属炭酸塩（アルカリ金属炭酸水素塩によって少なくとも部分的に置換されてよい）、および５重量％まで、特に０．５重量％〜２．５重量％のクエン酸および／またはアルカリ金属クエン酸塩が、成分a)として存在することを特徴とする上記〔１〕〜〔１０〕のいずれかに記載の剤。
〔１２〕  ５重量％〜２５重量％、特に５重量％〜１５重量％のクエン酸および／またはアルカリ金属クエン酸塩と、５重量％まで、特に１重量％〜５重量％のアルカリ金属炭酸塩（アルカリ金属炭酸水素塩によって少なくとも部分的に置換されてよい）が、成分ａ）として存在することを特徴とする上記〔１〕〜〔１０〕のいずれかに記載の剤。
〔１３〕  成分ａ）は、アルカリ金属炭酸塩とアルカリ金属炭酸水素塩を、１０：１〜１：１の重量比で含むことを特徴とする上記〔１〕〜〔１２〕のいずれかに記載の剤。
〔１４〕  １重量％〜５重量％の、１．８〜２．５の範囲のモジュールを有するアルカリ金属シリケートが、成分ｂ）として存在することを特徴とする上記〔１〕〜〔１３〕のいずれかに記載の剤。
〔１５〕  ０．０５重量％〜１重量％の、ホスホン酸および／またはアルカリ金属ホスホネート、特にそれらのヒドロキシおよび／またはアミノアルキルホスホン酸および／またはアルカリ金属塩から選択されるものが、成分ｃ）として存在することを特徴とする上記〔１〕〜〔１４〕のいずれかに記載の剤。
〔１６〕  １５重量％〜３５重量％の、アルカリ金属ホスフェート、特に三ナトリウムポリリン酸塩が、成分ｄ）として存在することを特徴とする上記〔１〕〜〔１５〕のいずれかに記載の剤。
〔１７〕  １．５重量％〜５重量％のポリカルボキシレート重合体、特にアクリル酸、メタクリル酸および／またはマレイン酸の重合生成物または共重合生成物から選択されるものが、成分e)として存在することを特徴とする上記〔１〕〜〔１６〕のいずれかに記載の剤。
〔１８〕  特に綿から構成されるかまたは綿を含む、繊維製品の洗浄において、水溶性ビルダーブロックを含む洗濯洗剤の洗浄性能を向上させるための、セルロースのアルキル化およびヒドロキシアルキル化によって得られる汚れ解離性セルロース誘導体の使用。
〔１９〕  繊維製品の洗浄方法であって、水溶性ビルダーブロックと、セルロースのアルキル化およびヒドロキシアルキル化によって得られる汚れ解離性セルロース誘導体を有する洗濯洗剤を使用する、方法。
〔２０〕  汚れ解離性セルロース誘導体を含んでなる粒子を、固体状で存在する追加の洗濯洗剤成分と混合することを特徴とする上記〔１〕〜〔１７〕のいずれかに記載の固形剤の製造方法。
〔２１〕  汚れ解離性セルロース誘導体を含んでなる粒子を、噴霧乾燥工程を用いることによって調製することを特徴とする上記〔１８〕に記載の方法。
〔２２〕  汚れ解離性セルロース誘導体を含んでなる粒子を、圧縮成形工程を用いることによって調製することを特徴とする上記〔１８〕に記載の方法。